(57)【要約】【課題】  ミラーの振動を抑えながら走査線の湾曲を防止する光走査装置および画像形成装置を提供する。【解決手段】  ミラー５０の略中央部を押すことによってミラー５０の振動を抑えることができる。しかし、ミラーが撓み、図２−Ａに示すように中央部のビームは点線のように移動されるため、図２−Ｃのように記録媒体９５の走査線は理想線に対して凹湾曲してしまう。一方、図２−Ｂに示すようにミラー５２の長さ方向略中央部を引張ることでミラー５２の振動を抑えることができ、ミラー５２の撓みによる走査線への影響は、図２−Ｄのように理想線に対して凸湾曲とすることができる。上記の二つを組み合わせた走査装置において、図２−Ｃと図２−Ｄの効果を同時に出すことによって、図２−Ｅのように走査線の湾曲を相殺させることができ、理想的な走査線を得ることができる。【選択図】        図２
2006053304.tif 000002
【特許請求の範囲】
【請求項１】
光ビームを射出する光源と、
射出された光ビームを主走査方向に偏向させる偏向装置と、
偏向された光ビームを被走査面上に結像させる光学系と、
を備えた光走査装置であって、
少なくとも２箇の反射鏡を偏向装置と被走査面の間に設け、
前記反射鏡を押圧又は引圧する矯正手段によって前記反射鏡を湾曲させ、走査線の湾曲を相殺して補正することを特徴とする光走査装置。
【請求項２】
光ビームを射出する光源と、
射出された光ビームを主走査方向に偏向させる偏向装置と、
偏向された光ビームを被走査面上に結像させる光学系と、
を備えた光走査装置であって、
少なくとも２箇の反射鏡を偏向装置と被走査面の間に設け、
前記反射鏡の反射面側を支持する支持手段と、前記反射鏡の裏面を押圧する押圧手段と、を備え、
前記支持手段と前記押圧手段によって前記反射鏡を湾曲させ、走査線の湾曲を相殺して補正することを特徴とする光走査装置。
【請求項３】
光ビームを射出する光源と、
射出された光ビームを主走査方向に偏向させる偏向装置と、
偏向された光ビームを被走査面上に結像させる光学系と、
を備えた光走査装置であって、
少なくとも２箇の反射鏡を偏向装置と被走査面の間に設け、
一方の前記反射鏡は反射面側を支持する第１支持手段と第１支持手段の間を裏面から押圧する第１押圧手段を備え、
他方の前記反射鏡は反射面側を支持する第２支持手段と第２支持手段の外側を裏面から押圧する第２押圧手段を備え、
前記第１および第２押圧手段によって前記反射鏡を湾曲させ、走査線の湾曲を相殺して補正することを特徴とする光走査装置。
【請求項４】
前記反射鏡の内、少なくとも１個はシリンドリカルミラーであることを特徴とする請求項１乃至請求項３に記載の光走査装置。
【請求項５】
前記シリンドリカルミラーの側面を押す押圧部材を備えたことを特徴とする請求項４に記載の光走査装置。
【請求項６】
光ビームを射出する光源と、
射出された光ビームを主走査方向に偏向させる偏向装置と、
偏向された光ビームを被走査面上に結像させる光学系と、
を備えた光走査装置であって、
少なくとも３箇以上の反射鏡を偏向装置と被走査面の間に設け、
前記反射鏡のうち被走査面側に近い２箇の反射鏡を押圧又は引圧する矯正手段によって前記被走査面側に近い２箇の反射鏡を湾曲させ、走査線の湾曲を相殺して補正することを特徴とする光走査装置。
【請求項７】
前記支持手段または押圧手段のうち少なくとも１個は、押圧力または牽引力を調整できることを特徴とする請求項１乃至請求項５に記載の光走査装置。
【請求項８】
光ビームを射出する複数の光源と、
射出された光ビームを主走査方向に偏向させる回転多面鏡および偏向装置と、
偏向された光ビームを被走査面上に結像させる光学系と、
を備えた光走査装置であって、
前記光ビームごとに少なくとも２箇の反射鏡を偏向装置と被走査面の間に設けたことを特徴とする請求項１乃至請求項６に記載の光走査装置。
【請求項９】
請求項１乃至請求項８に記載の光走査装置を使用した画像形成装置。
【発明の詳細な説明】
【技術分野】
【０００１】
本発明は、光走査装置および画像形成装置に関する。
【背景技術】
【０００２】
近年、高解像度の画像形成装置が要求されており、画質低下の原因となる光走査装置の反射鏡の振動低減が必要になってきている。すなわち、反射鏡の振動による縞模様の発生（Ｂａｎｄｉｎｇ）などが問題となっており、以前からミラーの裏面を押して振動を抑える技術は知られている。この場合、ミラーを押すとミラーが撓むので、その解決手段として、ミラーの略中央部を２点で裏面押し、更にはゴムを介在させて押す方法が提案されている（例えば、特許文献１参照）。
【０００３】
しかしながら、ミラーの背面を押すことによって、ミラーの振動を防止することは可能であるが、近年の高画質（走査線の直線性）の要求に満足する為には不十分であった。
【０００４】
すなわち図１５に示すように、ミラー１０２の背面を押すことで振動を抑えることは可能だが、これにより感光体１０４上→用紙Ｐ上に描かれる理想的な走査線の形状（図中実線で示す）に対して走査線が湾曲する、所謂ＢＯＷ（図中破線で示す）が発生してしまうことになる。
【特許文献１】特開平１０−１３６１６９号公報    （図３、第２〜３頁）
【発明の開示】
【発明が解決しようとする課題】
【０００５】
本発明は上記事実を考慮し、ミラーの振動を抑えながら走査線の湾曲を防止する光走査装置および画像形成装置を提供することを目的とする。
【課題を解決するための手段】
【０００６】
請求項１に記載の光走査装置は、光ビームを射出する光源と、射出された光ビームを主走査方向に偏向させる偏向装置と、偏向された光ビームを被走査面上に結像させる光学系と、を備えた光走査装置であって、少なくとも２箇の反射鏡を偏向装置と被走査面の間に設け、前記反射鏡を押圧又は引圧する矯正手段によって前記反射鏡を湾曲させ、走査線の湾曲を相殺して補正することを特徴とする。
【０００７】
上記構成の発明では、偏向装置と被走査面の間に少なくとも２枚の反射鏡を備え、一方の反射鏡を押圧又は引っ張ることにより反射鏡の振動を防止し、これよって反射鏡が湾曲することで発生する走査線の湾曲を相殺するように他方の反射鏡を押圧又は引っ張ることにより、他方の反射鏡の振動をも防止しつつ光走査装置の走査線の湾曲全体を極力小さくすることができる。
【０００８】
請求項２に記載の光走査装置は、光ビームを射出する光源と、射出された光ビームを主走査方向に偏向させる偏向装置と、偏向された光ビームを被走査面上に結像させる光学系と、を備えた光走査装置であって、少なくとも２箇の反射鏡を偏向装置と被走査面の間に設け、前記反射鏡の反射面側を支持する支持手段と、反射鏡の裏面を押圧する押圧手段と、を備え、前記支持手段と前記押圧手段によって前記反射鏡を湾曲させ、走査線の湾曲を補正することを特徴とする。
【０００９】
上記構成の発明では、反射鏡の反射面を支持して反射面の裏を押圧することにより、反射鏡と押圧部材をコンパクトかつ簡易な構成の支持構造とできるので、経済性と整備性に優れたコンパクトな光走査装置としながら反射鏡の振動を防止しつつ、光走査装置の走査線の湾曲を極力小さくすることができる。
【００１０】
請求項３に記載の光走査装置は、光ビームを射出する光源と、射出された光ビームを主走査方向に偏向させる偏向装置と、偏向された光ビームを被走査面上に結像させる光学系と、を備えた光走査装置であって、少なくとも２箇の反射鏡を偏向装置と被走査面の間に設け、一方の前記反射鏡は反射面側を支持する第１支持手段と第１支持手段の間を裏面から押圧する第１押圧手段を備え、他方の前記反射鏡は反射面側を支持する第２支持手段と第２支持手段の外側を裏面から押圧する第２押圧手段を備え、前記第１および第２押圧手段によって前記反射鏡を湾曲させ、走査線の湾曲を相殺して補正することを特徴とする。
【００１１】
上記構成の発明では、反射面の裏を押圧することにより振動を防止し、押圧部材をコンパクトかつ簡易構成にしながら一方の反射鏡は支持間を押圧して凹湾曲させ、他方の反射鏡は支持外を押圧することで凸湾曲させて、互いに光走査装置の走査線の湾曲を相殺させることで走査線の湾曲を極力小さくすることができる。
【００１２】
請求項４に記載の光走査装置は、前記反射鏡の内、少なくとも１個はシリンドリカルミラーであることを特徴とする。
【００１３】
上記構成の発明では、シリンドリカルミラーにおいては反射面に対して接線方向への押圧・湾曲でも法線方向への湾曲と同等の効果が得られることを利用して、シリンドリカルミラーの側面及び裏面を押圧することで振動を防止しつつ、光走査装置の走査線の湾曲を極力小さくすることができる。
【００１４】
請求項５に記載の光走査装置は、前記シリンドリカルミラーの側面を押す押圧部材を備えたことを特徴とする。
【００１５】
上記構成の発明では、シリンドリカルミラーにおいては反射面に対して接線方向への押圧・湾曲でも法線方向への湾曲と同等の効果が得られることを利用して、シリンドリカルミラーの側面を押圧することで振動を防止しつつ、光走査装置の走査線の湾曲を極力小さくすることができる。
【００１６】
請求項６に記載の光走査装置は、光ビームを射出する光源と、射出された光ビームを主走査方向に偏向させる偏向装置と、偏向された光ビームを被走査面上に結像させる光学系と、を備えた光走査装置であって、少なくとも３箇以上の反射鏡を偏向装置と被走査面の間に設け、前記反射鏡のうち被走査面側に近い２箇の反射鏡を押圧又は引圧する矯正手段によって前記被走査面側に近い２箇の反射鏡を湾曲させ、走査線の湾曲を相殺して補正することを特徴とする。
【００１７】
上記構成の発明では、被走査面上に近い反射鏡の方が長くなり振動しやすくなるので、長く振動しやすい被走査面上に近い２枚の反射鏡を押圧又は牽引手段によって振動を抑え、かつ走査線の湾曲を相殺させることで、単純な構成で効率よく高画質な光走査装置とできる。
【００１８】
請求項７に記載の光走査装置は、前記支持手段または押圧手段のうち少なくとも１個は、押圧力または牽引力を調整できることを特徴とする。
【００１９】
上記構成の発明では、少なくとも一枚の反射鏡は押圧力または牽引力を調整可能とすることにより、走査線の湾曲がなくなるように反射鏡の湾曲を調整することができる。
【００２０】
請求項８に記載の光走査装置は、光ビームを射出する複数の光源と、射出された光ビームを主走査方向に偏向させる回転多面鏡および偏向装置と、偏向された光ビームを被走査面上に結像させる光学系と、を備えた光走査装置であって、前記光ビームごとに少なくとも２箇の反射鏡を偏向装置と被走査面の間に設けたことを特徴とする。
【００２１】
上記構成の発明では、カラー画像形成装置において発生する、各色間で走査線の湾曲量が異なることに起因する色ずれが少なくなるように、各色の走査線ごとに湾曲量を調整し高画質の光走査装置とできる。
【００２２】
請求項９に記載の画像形成装置は、請求項１乃至請求項７に記載の光走査装置を使用したことを特徴とする。
【００２３】
上記構成の発明では、少なくとも２枚の反射鏡を互いに走査線の湾曲を相殺してうち消すように湾曲させて配置した光走査装置を用いることで高画質な画像形成装置とすることができる。
【発明の効果】
【００２４】
本発明は上記構成としたので、ミラーの振動を抑えながら走査線の湾曲を防止する光走査装置および画像形成装置とすることができた。
【発明を実施するための最良の形態】
【００２５】
図１には本発明の第１実施形態に係る光走査装置が示されている。
[第１実施形態] 
本発明の第１実施形態に係る画像形成装置及びそれに適用される光走査装置について説明する。初めに、光走査装置の説明を行い、更に、本発明の要部である保持部の構造について説明を行う。
【００２６】
図１には本実施形態に係る光走査装置が示されている。以下に光走査装置について説明する。レーザー光源１から発光された光ビームが、コリメータレンズ２、スリット３、シリンドリカルレンズ４を通過し、回転多面鏡３６により偏向される。図７に示すように、回転多面鏡３６の反射面で偏向されたビームLは、２枚組のFθレンズ３８で感光体上を等速で走査するように主走査方向において走査される。また、Fθレンズ３８を通過したビームLは、ミラー５０、５２で折り返されて感光体２４上に結像される。
【００２７】
次に、ミラーの振動を抑えてかつ走査線の湾曲も小さくできる原理について説明する。
【００２８】
前述のようにミラー５０の略中央部を押すことによってミラー５０の振動を抑えることができる。しかし、ミラーが撓み、図２−Ａに示すように中央部のビームは点線のように移動されるため、図２−Ｃのように記録媒体９５の走査線は理想線に対して凹湾曲してしまう。
【００２９】
一方、図２−Ｂに示すようにミラー５２の長さ方向略中央部を引張ることでミラー５２の振動を抑えることができ、ミラー５２の撓みによる走査線への影響は、図２−Ｄのように理想線に対して凸湾曲とすることができる。上記の二つを組み合わせた走査装置において、図２−Ｃと図２−Ｄの効果を同時に出すことによって、図２−Ｅのように走査線の湾曲を相殺させることができ、理想的な走査線を得ることができる。
（保持構造の説明）
図８〜図１０には本実施例に掛かるミラーの保持構造が示されている。
【００３０】
ミラー５０、５２の保持とは関係ない部分は図を省略している。ミラー５０の両端部は筐体の一部で構成された支持部７０、７２によって反射面側で支持されており、押圧持部８１は弾性部材であり、筐体の一部にねじで締結されており、ミラー５０の長さ方向略中央部及び両端部を押圧してミラー５０の振動を抑えている。
【００３１】
この押圧によってミラー５０は撓むため、図２−Ｃに示すように走査線は湾曲してしまう。一方ミラー５２の両端部は筐体の一部で構成された支持部によって反射面を支持されており、保持部８２はミラー５２の長さ方向略中央部を引圧してミラー５２の振動を抑え、この引圧によってミラー５２は撓むので、図２−Ｂのように走査線を図２−Ｃと逆方向に湾曲させることができる。
【００３２】
押圧部材８４、８５は、ミラー５２の両端部を支持部７３、７５に押付ける。一方ブラケット７４には、ナット９２が埋め込まれており、ねじ９０を回すことによってリング９１がブラケット７４側に移動し、それに追従し保持部８２はブラケット側に引き寄せられ、ミラー５２が撓む。押圧部材８４、８５の押圧力は保持部８２によってミラー５２が引張られても支持部材７３、７５とミラー５２が離れないように押圧を行っている。
ミラー５０とミラー５２の湾曲による走査線は互いに相殺する方向に湾曲されており、その結果、図２−Ｅのように湾曲が極力小さい状態となる。前記説明においては、ミラー５２および７５の略中央部に押引圧力を加えることで作用を説明したが、支持側に近いところを押引圧力を加えても同効果が得られることは言うまでもない。
保持構造の別実施形態を説明する。ミラー５２を保持部６２によって長さ方向略中央部を引圧してミラー５２の振動を抑えているが、引圧する為にミラーをチャックする部分が必要となり、結果としてミラーの幅が広くなってしまう。また、引圧構成は押圧構成に比べて複雑になってしまう課題がある。この課題を解決する為に、図１１−Ａに示すように、ミラー５２の両端部の反射面を支持部材７６,７７で支持し、その支持位置の外側を弾性部材８６,８７で押圧することにより、単純な構成で同効果が得られる。
【００３３】
[第２実施形態] 
本発明の第２実施形態に係る光走査装置について説明する。
【００３４】
図３には本実施形態に係る光学部材及び光学系が示されている。以下に光走査装置について説明する。
【００３５】
レーザー光源から偏向器までの構成は実施例１と同様なので説明を省く。図３―Ａに示すように、回転多面鏡３６の反射面で偏向されたビームLは、２枚組のFθレンズ３８で感光体２４上を等速で走査するように主走査方向において走査される。また、Fθレンズ３８を通過したビームLは、ミラー５１、５３で折り返されて、感光体２４上に結像される。ミラー５１，５３は略中央部を押圧されている。
【００３６】
図３−Ａに示すように、ミラー５３の長さ方向略中央部を押すことによってミラー５３の振動を抑えることができる。しかし、ミラーが撓み、中央部のビームは点線のようにずれ、図３−Ｃのように記録媒体９５の走査線が理想線に対して凸湾曲してしまう。一方、図３−Ｂに示すようにミラー５１の長さ方向略中央部を押すことでミラー５１の振動を抑えることができる。ミラー５１の撓みによる走査線の影響は、図３−Ｄのように理想線に対して凹湾曲とさせることができる。
【００３７】
上記の二つを組み合わせた光走査装置において、図３−Ｃと図３−Ｄに示す効果を同時に出すことによって、図３−Ｅのように走査線の湾曲を相殺させることができる。ミラー５１、５３の略中央部を押す構造は、実施例１で説明した図８と同構造であるので説明を省略する。
【００３８】
[第３実施形態] 
本発明の第３実施形態に係る光走査装置について説明する。
【００３９】
図４には本実施形態に係る光学部材及び光学系が示されている。
【００４０】
以下に光走査装置について説明する。レーザー光源から偏向器までの構成は実施例１と同様なので説明を省く。図４―Ａに示すように、回転多面鏡３６の反射面で偏向されたビームLは、２枚組のFθレンズ３８で感光体２４上を等速で走査するように主走査方向において走査される。また、Fθレンズ３８を通過したビームLは、シリンドリカルミラー５４、ミラー５５で折り返されて、感光体２４上に結像される。シリンドリカルミラー５４、ミラー５５伴に、長さ方向略中央部が押圧されている。
【００４１】
図４−Ａに示すように、ミラー５５の長さ方向略中央部を押すことによってミラー５５の振動を抑えることができる。しかし、これによりミラー５５が撓み、中央部のビームは点線のようにずれ、図４−Ｃのように記録媒体９５の走査線が理想線に対して凸湾曲してしまう。
【００４２】
一方、図４−Ｂに示すようにシリンドリカルミラー５４の側面側略中央部を押すことでシリンドリカルミラー５４の振動を抑えることができる。シリンドリカルミラー５４の撓みによる走査線の影響は、図４−Ｄのように理想線に対して凹湾曲とさせることができる。
【００４３】
上記の二つを組み合わせた光走査装置において、図４−Ｃと図４−Ｄに示す効果を同時に出すことにより、図４−Ｅのように走査線の湾曲を相殺させることができる。
【００４４】
シリンドリカルミラー５４の押圧構造を図１２に示す。シリンドリカルミラー５４の両端部の裏面を押圧部材８６、８７によって支持部材７６、７７に押付け、シリンドリカルミラー５４の略中央部側面を押圧部材８３によって、シリンドリカルミラー５４の振動を抑えることができる。ミラー５５の略中央部を押す構造は、実施例１で説明した図８と同構造であるので説明を省略する。
【００４５】
[第４実施形態] 
本発明の第４実施形態に係る画像形成装置及びそれに適用される光走査装置について説明する。
【００４６】
図１３には本実施形態に係る画像形成装置が示されている。
【００４７】
図１３に示すように、画像形成装置９０はＹ（イエロー）、M（マゼンタ）、Ｃ（シアン）、K（ブラック）、の４色のトナー像を形成する電子写真ユニット１２Ｙ、１２Ｃ、２M、１２Kと、後述する転写装置１４Ｙ、１４Ｃ、１４M、１４Kによって各トナー像が蓄積されてカラートナー像をトレイ１８から供給された用紙に転写する転写装置２０と、用紙上に転写されたカラートナー像を溶融定着させる定着装置２２とから基本的に構成されていて、プロセスは１サイクルで画像を作成する。光走査装置２８ＣＫと光走査装置２８ＹMが具備されており、図示しないレーザー光源に図示しない画像制御部からデジタル信号としてデータが転送され、レーザー光源から発光された光ビームが、コリメータレンズ、シリンドリカルレンズ群を通り、光偏向器で偏向された光ビームは、その後光学部材を反射又は通過して、帯電装置２６Ｙ、２６Mで帯電された感光体２４Ｙ、２４Mにビームを各々照射する。露光された感光体２４Ｙ、２４M、２４Ｃ、２４Ｋは、現像装置３０Ｙ、３０M、３０Ｃ、３０Ｋで現像され、中間転写ベルト１６にＹ、M、Ｃ、Ｋの各色画像が転写され、転写装置２０によって用紙Ｐに転写され定着装置２２によって溶融定着される。
【００４８】
K（ブラック）の感光体２４Kの径が感光体２４Ｙ〜２４Ｃの径よりも大きく設定されており、カラー画像に比較して使用頻度の高い白黒画像の出力によってKの感光体２４Kのみが早朝劣化してしまうことを防止している。
【００４９】
光走査装置２８を、図６に基づいて、ＹＣのビームL（ＹＣ）の光路に沿って説明する。なお、図示しない光源（ＬＤ）から照射されたビームＬＹが、回転多面鏡に入射されるまでの構成については説明を省略する。
【００５０】
回転多面鏡３６の反射面で偏向されたビームL（ＹＣ）は、２枚組のFθレンズ３８で感光体上を等速で走査するように主走査方向において走査される。また、Fθレンズ３８を通過したビームL（ＹＣ）は、シリンドリカルミラー１８７、反射ミラー１４２，シリンドリカルミラー１８４で折り返されて、防塵ガラスを通過後、感光体２４ＹＣ上に結像される。通常、感光体２４に近いミラーの方が長さが長くなり、結果として振動しやすいため、光路上の下流側のミラーの長さ方向略中央部に押圧部材を備えている。すなわちシリンドリカルミラー１８４の略中央側面部を押圧して振動を抑え、その構成は実施例３の図１２で示した構成と同様である。
【００５１】
本実施形態のように複数の感光体を具えたカラー画像形成装置においては、光走査装置の走査線湾曲は各色画像ごとの位置ずれ、すなわち色ずれを起こし、画質の劣化の原因となる為、走査線湾曲を極力少なくさせる必要がある。その為のミラー１４２の保持構造を図５に示す。ミラー１４２の両端は実施例１で説明した構造と同様である。
【００５２】
ミラー１４２の長さ方向略中央部の押圧保持部の詳細を図１４に示す。保持部材７６は筐体の一部又は筐体に締結されている部材であり、その保持部材７６にはネジが切ってあり、先が丸形状になっているネジ９２が組み込まれている。このネジ９２の押し込み量を調節することによりミラーの湾曲量を調整することが可能である。
【００５３】
次に、MＫのビームL（MＫ）の光路に沿って説明する。図６に示すように、回転多面鏡３６で偏向されたビームL（MＫ）は、Fθレンズ３８を介してシリンドリカルミラー１８６、反射ミラー１４８，シリンドリカルミラー１８５，反射ミラー１５２で反射されて防塵ガラスを通過後、感光体２４MＫに至る構成とされている。シリンドリカルミラー１８５は略中央側面部を押圧され、その構成は実施例３の図１２で示した構成と同様である。反射ミラー１５２は略中央部を押圧されている。その構成はミラー１４２の保持構成と同様である。
【００５４】
Ｌ（ＹＣ）とＬ（MＫ）の２種類の光学系が存在するが、その違いは、Ｌ（MＫ）のビームはシリンドリカルミラー１８５の後に反射ミラー１５２が配置され、Ｌ（ＹＣ）のビームには最終光学部品としてシリンドリカルミラー１８４を配置する構成になっている点である。又、MとＫの違いはミラー１５２の位置が異なる点である。シリンドリカルミラー１８４、１８５は、回転多面鏡の面倒れ及び、副走査方向の走査ずれを補正する機能を備えている。
【図面の簡単な説明】
【００５５】
【図１】本発明の第１形態に係る光走査装置を示す斜視図である。
【図２】本発明の第１形態に係る光走査装置の正面図である。
【図３】本発明の第２形態に係る光走査装置の正面図である。
【図４】本発明の第３形態に係る光走査装置の正面図である。
【図５】本発明に係る光走査装置のミラー保持機構を示す斜視図である。
【図６】本発明の光走査装置示す正面図である。
【図７】本発明の第１形態に係る光走査装置を示す正面図である。
【図８】本発明に係る光走査装置のミラー保持機構を示す斜視図である。
【図９】本発明に係る光走査装置のミラー保持機構を示す斜視図である。
【図１０】本発明に係る光走査装置のミラー保持機構を示す断面図である。
【図１１】本発明に係る光走査装置のミラー保持機構を示す斜視図である。
【図１２】本発明に係る光走査装置のミラー保持機構を示す斜視図である。
【図１３】本発明に係る画像形成装置の正面図である。
【図１４】本発明係る光走査装置のミラー保持機構を示す断面図である。
【図１５】従来の光走査装置の正面図である。
【符号の説明】
【００５６】
１０    画像形成装置
１２    電子写真ユニット
１４    転写装置
１６    中間転写ベルト
１８    トレイ
２０    転写装置
２２    定着装置
２４    感光体
２６    帯電器
２８    光走査装置
３０    現像器
３４    筐体
３６    回転多面鏡
３８    Fθレンズ
４０    反射ミラー
５０    反射ミラー
７０    支持部材
７９    支持部材
８０    押圧部材
８０    押圧部材
９０    画像形成装置
【図１】
2006053304.tif 000003
【図２】
2006053304.tif 000004
【図３】
2006053304.tif 000005
【図４】
2006053304.tif 000006
【図５】
2006053304.tif 000007
【図６】
2006053304.tif 000008
【図７】
2006053304.tif 000009
【図８】
2006053304.tif 000010
【図９】
2006053304.tif 000011
【図１０】
2006053304.tif 000012
【図１１】
2006053304.tif 000013
【図１２】
2006053304.tif 000014
【図１３】
2006053304.tif 000015
【図１４】
2006053304.tif 000016
【図１５】
2006053304.tif 000017